(57)【要約】【課題】作業者が簡単に収納テープを切断すべき位置にセットできて、落下させても刃が変形しにくい収納テープの切断装置を提供すること。【解決手段】作業者は支持台１６のピン１５、１５に収納テープ１の送り孔４、４を嵌合させる。そして、この支持した状態で、上刃体１２の操作部１２Ｂと下刃体１３の操作部１３Ｂとを把持して、コイルスプリング２１の付勢力に抗して両操作部１２Ｂ、１３Ｂを近づけると、上刃体１２はボルト２０と一緒に且つ下刃体１３及び支持台１６はボルト２０の周りを回動し、収納テープ１を切断する。この切断作業に伴って、誤って切断装置１０を落下させても、保護体１４の保護部１４Ｂにより上刃１２Ａが、また支持台１６の延出部１６Ｃにより下刃１３Ａが保護され、上刃１２Ａ及び下刃１３Ａの変形しないように保護される。【選択図】図４
2008074426.tif 000002
【特許請求の範囲】
【請求項１】
支軸を支点として互いに交差するように回動可能になされた上刃体及び下刃体と、キャリアテープの電子部品を収納する収納部の開口をカバーテープにより覆う収納テープの送り孔に嵌合するピンを備え前記下刃体の下刃先端より先方に延出すると共に下刃下端より下方に延出するように前記下刃体に固定された支持台と、この支持台に設けられ前記上刃先端の回転軌跡より先方に延出する保護体とを備えたことを特徴とする収納テープの切断装置。
【請求項２】
支軸を支点として互いに交差するように回動可能になされた上刃体及び下刃体と、キャリアテープの電子部品を収納する収納部の開口をカバーテープにより覆う収納テープの送り孔に嵌合するピンを備え前記下刃体の下刃先端より先方に延出すると共に下刃下端より下方に延出するように前記下刃体に固定された支持台と、この支持台に設けられ前記上刃体及び下刃体が開いた状態でも前記上刃の上刃下端より上方に延出すると共に前記上刃先端の回転軌跡より先方に延出する保護体とを備えたことを特徴とする収納テープの切断装置。
【請求項３】
前記ピンに収納テープの送り孔を嵌合させて前記支持台上に収納テープを支持した状態で収納テープを映す反射鏡を前記支持台に設けたことを特徴とする請求項１又は請求項２に記載の収納テープの切断装置。
【発明の詳細な説明】
【技術分野】
【０００１】
本発明は、キャリアテープの電子部品を収納する収納部の開口をカバーテープにより覆われた収納テープの切断装置に関する。
【背景技術】
【０００２】
使用されている収納テープに新たな収納テープを連結する収納テープ同士の連結方法は、例えば特許文献１などに開示されているが、確実に連結できるようにするために収納テープを所定位置で切断する必要がある。この場合、テーピング帯体の終端より所定長さだけ延長した位置でカバーテープの終端を切断できるコンパクトなテープ切断装置が提案されている（例えば、特許文献２参照）。
【特許文献１】特開平５−３３８６１８号公報
【特許文献２】特開平７−１７５１１号公報
【発明の開示】
【発明が解決しようとする課題】
【０００３】
しかしながら、自動で切断するために、カバーテープを吸着する吸着手段などを設けた構造であって、複雑で、且つ大掛かりな装置となっている。なお、切断するに際しては、収納テープに電子部品が収納されている位置と収納されていない位置との境界位置で切断することができ、また落下させても刃が変形しにくいことが望まれる。
【０００４】
そこで本発明は、作業者が簡単に収納テープを切断すべき位置にセットできて、また落下させても刃が変形しにくい収納テープの切断装置を提供することを目的とする。
【課題を解決するための手段】
【０００５】
このため第１の発明は、支軸を支点として互いに交差するように回動可能になされた上刃体及び下刃体と、キャリアテープの電子部品を収納する収納部の開口をカバーテープにより覆う収納テープの送り孔に嵌合するピンを備え前記下刃体の下刃先端より先方に延出すると共に下刃下端より下方に延出するように前記下刃体に固定された支持台と、この支持台に設けられ前記上刃先端の回転軌跡より先方に延出する保護体とを備えたことを特徴とする。
【０００６】
また第２の発明は、支軸を支点として互いに交差するように回動可能になされた上刃体及び下刃体と、キャリアテープの電子部品を収納する収納部の開口をカバーテープにより覆う収納テープの送り孔に嵌合するピンを備え前記下刃体の下刃先端より先方に延出すると共に下刃下端より下方に延出するように前記下刃体に固定された支持台と、この支持台に設けられ前記上刃体及び下刃体が開いた状態でも前記上刃の上刃下端より上方に延出すると共に前記上刃先端の回転軌跡より先方に延出する保護体とを備えたことを特徴とする。
第３の発明は、第１又は第２の発明に係る収納テープの切断装置において、  前記ピンに収納テープの送り孔を嵌合させて前記支持台上に収納テープを支持した状態で収納テープを映す反射鏡を前記支持台に設けたことを特徴とする。
【発明の効果】
【０００７】
本発明は、作業者が簡単に収納テープを切断すべき位置にセットできて、更に
落下させても刃が変形しにくい収納テープの切断装置を提供することができる。
【発明を実施するための最良の形態】
【０００８】
以下、添付図面を参照して収納テープの切断装置を説明する前に、電子部品を収納する収納テープ１であるエンボステープについて、図１に基づき説明する。合成樹脂材料で作成されたキャリアテープ２には、所定の等間隔を存して収納凹部３が形成されると共に同じく所定の等間隔を存して送り孔４が形成されている。そして、収納凹部３に収納された電子部品を覆うように、カバーテープ５が前記送り孔４を避けた位置で収納凹部３開口部を被覆している。
【０００９】
なお、前記キャリアテープ２は収納される電子部品の静電気を除去するための塗料が含有されて、例えば黒色に着色され、カバーテープ５は透明な合成樹脂材料で作成されている。
【００１０】
そして、部品供給ユニット（図示せず）に収納テープ１をセットする。収納テープ１は部品供給ユニットが載置され電子部品装着装置に接続されたカートに置かれた収納テープリールから供給される。部品供給ユニットは、テープ通路を介して部品ピックアップ位置（部品吸着取出位置）までテープ送り装置によりキャリアテープ２を間欠送りして、カバーテープ５が剥離された状態のキャリアテープ２から電子部品を電子部品装着装置の吸着ノズル（図示せず）がピックアップして、位置決めされたプリント基板上に当該電子部品を装着すると共に、剥離したカバーテープを部品供給ユニットの収納部に収納するものである。
【００１１】
次に、収納テープ１内の電子部品が残り少なくなって、当該収納テープ１に新しい収納テープ１を連結するに先立って収納テープ１を切断する場合の動作について説明する。
【００１２】
カートに置かれ、部品供給ユニットに収納テープを供給していた収納テープリールに巻かれてあった収納テープ１をその電子部品が収納されている位置と収納されていない位置との境界位置で切断することができれば、電子部品が無駄にならないものである。以下この切断装置１０について図２乃至図６に基づき説明する。
【００１３】
この切断装置１０は以下詳述するが、支軸となるボルト２０を支点として互いに交差するように回動可能になされた上刃体１２及び下刃体１３と、前記上刃体１２の上刃１２Ａより外方（刃先先端の回転軌跡より先方）へ延出して落下しても上刃１２Ａが変形しにくいように上刃１２Ａを保護する保護体１４と、この保護体１４と一体化され収納テープ１の送り孔４に嵌合するピン１５、１５を上面１６Ａに凹ませて（低い段差）形成された収納テープ１を位置決めして載置するテープ支持面１６Ｂ上に突出させた支持台１６と、この支持台１６の下面にビス１８により固定された反射鏡１７とを備えている。前記テープ支持面１６Ｂにより、ピン１５、１５と収納テープ１の送り孔４との位置合わせがやり易く構成される。
【００１４】
なお、前記反射鏡１７は上刃体１２の外方（下刃体１３と反対方向）にまで延びて上面が鏡面１７Ａに構成され、前記ピン１５、１５は、キャリアテープ２に開設された各送り孔４のピッチと同じピッチ、あるいは各送り孔４のピッチの整数倍のピッチにテープ支持面１６Ｂ上に立設されている。
【００１５】
前記保護体１４は前記ボルト２０が挿通して回動する枢支部１４Ａと、上刃１２Ａを保護する保護部１４Ｂとを備え、この保護部１４Ｂの上端部には上刃体１２と下刃体１３とが最大に開いた状態の上刃１２Ａの上方位置で上刃１２Ａの長手方向に沿って外方に直角に折り曲げられて折曲片１４Ｃが形成され、落下しても上刃１２Ａが地面に直接接触しないようにして保護し且つ保護部１４Ｂを強度面で強化している。
この保護体１４と一体化された支持台１６は、下刃体１３の下刃１３Ａより外方（刃先先端より先方）へ延出する延出部１６Ｃが形成されると共にこの支持台１６下面が下刃１３Ａより下方へ延出して落下しても下刃１３Ａが地面に直接接触しないようにして変形しにくいように下刃１３Ａを保護する。
【００１６】
そして、下面にビス１７により反射鏡１７を固定した支持台１６と保護体１４とを一体化し、先端部に螺子山が形成されたボルト２０を支持台１６及び保護体１４に形成された挿通孔に挿通させる。更に、上刃体１２に形成された螺合孔（螺子孔）と下刃体１３に形成された挿通孔とを合致させるようにして、上刃体１２と下刃体１３とを重合させ、支持台１６及び保護体１４に形成された挿通孔に挿通させたボルト２０を下刃体１３の挿通孔に挿通させると共に上刃体１２の螺合孔に螺合させ、ナット２１により抜け止めがなされている。
【００１７】
また、下刃体１３と支持台１６とにはピン２２が挿通されて、両者は一体化され、上刃体１２の操作部１２Ｂと下刃体１３の操作部１３Ｂとの間にコイルスプリング２３が設けられ、このコイルスプリング２３により上刃体１２及び下刃体１３は互いに離反するように付勢されている。しかし、コイルスプリング２３により上刃体１２と下刃体１３とが離反していても、両ストッパー１２Ｃ、１３Ｃとが当接することによりその離反範囲が制限される。
【００１８】
従って、前記上刃体１２の螺合孔にボルト２０の螺子山が螺合しているので、コイルスプリング２３の付勢力に抗して、作業者が上刃体１２の操作部１２Ｂと下刃体１３の操作部１３Ｂとを把持して両操作部１２Ｂ、１３Ｂを近づけると、上刃体１２はボルト２０と一緒に且つ下刃体１３及び支持台１６はボルト２０の周りを回動するように構成される。
【００１９】
ここで、部品供給ユニットに供給される部品残数が少なくなった収納テープ１の電子部品が収納されている位置と収納されていない位置との境界位置で切断装置１０を用いて切断し、この切断した収納テープ１に新たな収納テープを連結することとなるが、この切断動作について説明する。
【００２０】
先ず、作業者は前記支持台１６のピン１５、１５に収納テープ１の送り孔４、４を嵌合させる。この場合、収納テープ１の収納凹部３が突出しているので、凹んだ面であるテープ支持面１６Ｂ上に平坦な面となっている側のカバーテープ５を接するようにして、収納凹部３が上となるように、ピン１４、１４に送り孔４、４を嵌合させる。
【００２１】
この嵌合に際しては、作業者が前記反射鏡１７の鏡面１７Ａに映された収納テープ１の収納凹部３内を見ながら、電子部品が収納されている位置と収納されていない位置との境界位置を確認しつつ、前記テープ支持面１６Ｂ上に収納テープ１を支持すべく嵌合させる。そして、この支持した状態で、前記上刃体１２の操作部１２Ｂと下刃体１３の操作部１３Ｂとを把持して、コイルスプリング２１の付勢力に抗して両操作部１２Ｂ、１３Ｂを近づけると、上刃体１２はボルト２０と一緒に且つ下刃体１３及び支持台１６はボルト２０の周りを回動し、前記収納テープ１を切断する。
【００２２】
このように、前記キャリアテープ２が黒色に着色されていても、前記反射鏡１６に映された収納テープ１を見ながら、透明なカバーテープ５を介して電子部品が収納されている位置と収納されていない位置との境界位置を確認しつつ確実にこの境界位置にて切断できるから、電子部品が無駄にならないものである。
【００２３】
その後、この切断された収納テープ１に切断された収納テープと同様の切断作業を行った新たな収納テープを連結し、更にこの連結した新たな収納テープを巻回した収納テープリールをカートにセットすることにより電子部品の供給に供する。
【００２４】
なお、前記反射鏡１７として凸面鏡などの拡大鏡を使用することにより、鏡面には収納凹部３を拡大させて映すことができ、この結果前記境界位置の確認がより容易となるものである。
【００２５】
そして、この切断作業に伴って、誤って切断装置１０を落下させても、前記保護体１４の保護部１４Ｂにより上刃１２Ａが、また支持台１６の延出部１６Ｃにより下刃１３Ａが保護され、上刃１２Ａ及び下刃１３Ａの変形しないように保護される。
【００２６】
なお、部品供給ユニットを電子部品装着装置のユニットベースに取り付ける構造のものにあっては、このユニットベースから部品供給ユニットを外して作業台上に移して、部品供給ユニットのユニットフレームから収納テープリールを取外して、この収納テープリールに巻かれてあった収納テープ１をその電子部品が収納されている位置と収納されていない位置との境界位置で切断するようにしてもよい。
【００２７】
以上のように本発明の実施態様について説明したが、上述の説明に基づいて当業者にとって種々の代替例、修正又は変形が可能であり、本発明はその趣旨を逸脱しない範囲で前述の種々の代替例、修正又は変形を包含するものである。
【図面の簡単な説明】
【００２８】
【図１】収納テープの斜視図である。
【図２】切断装置の平面図である。
【図３】切断装置の底面図である。
【図４】切断装置の左側面図である。
【図５】切断装置の右側面図である。
【図６】図２の要部拡大図である。
【符号の説明】
【００２９】
１          収納テープ
２          キャリアテープ
３          収納凹部
４          送り孔
５          カバーテープ
１２        上刃体
１２Ａ      上刃
１３        下刃体
１３Ａ      下刃
１４        保護体
１４Ｂ      保護部
１５        ピン
１６        支持台
１６Ｂ      テープ支持面
１６Ｃ      延出部
１７        反射鏡
２０        ボルト
【図１】
2008074426.tif 000003
【図２】
2008074426.tif 000004
【図３】
2008074426.tif 000005
【図４】
2008074426.tif 000006
【図５】
2008074426.tif 000007
【図６】
2008074426.tif 000008